(57)【要約】典型的にはマイクロフォンである電気デバイス（２）を無線電話機内で接続するための取り付け構造（１）が開示されている。該取り付け構造は、電気デバイス収容部（４）を有するハウジング（３）を含む。また、電気デバイス（２）を包囲するように適合された包囲部（５）が設けられ、該包囲部（５）は、少なくとも二個の外方に向かって突出した保持タブ（６）を備え、該タブは、収容部（４）内の対応する保持部（７）と協働し、該保持部７と係合するように作られている。包囲された電気デバイスを収容部内に完全に挿入すると、保持タブは保持部に係合し、それにより、包囲部及び包囲された電気デバイスを収容部内に固定する。ハウジングと電気デバイスの両方に、電気的端子、即ち、コネクタが設けられており、包囲された電気デバイスを収容部内に固定すると、挿入されたデバイスとハウジングとの間の電気的係合が達成される。【選択図】図１
2004511934.tif 000002
【特許請求の範囲】
【請求項１】
コネクタの外部にあるマイクロフォンを取り付けるとともに電気的に接続する電気コネクタであって、前記マイクロフォンは、円筒壁によって接合された対向する第１及び第２の平坦面を有し、第１平坦面に送話器、第２平坦面に導電体を備え、前記電気コネクタは、
周囲壁、底部壁、及び、底部壁と反対側の開放端部によって部分的に画定された収容部を備えた絶縁ハウジングと、
マイクロフォンに対して前記外部電気接続を行うためにハウジングの収容部内において底部壁の上方で延在する接触部を備え、ハウジングに取り付けられた複数の端子と、
マイクロフォンの円筒壁を包囲するように設計された内壁と、収容部の開放端部内に挿入される前縁と、少なくとも一個の外方に向かって突出した保持タブを持つ外壁とを備えた包囲部であって、外壁は収容部の周囲壁内に嵌まるように設計され、タブは前記収容部の周囲壁内に形成された少なくとも一個の対応する保持部に係合するように設計された包囲部とを有し、
包囲部内のマイクロフォンをハウジングの前記収容部内に挿入すると、前記マイクロフォンの第２面上の導電体は、端子の接触部と電気的に係合された状態に置かれ、ブーツの外壁上の少なくとも一個の保持タブは、前記収容部の周囲壁の一個の保持部に係合し、これにより、前記包囲部及び包囲されたマイクロフォンを前記収容部内に固定する電気コネクタ。
【請求項２】
角度を付けた導入部が前記収容部の開放端部に設けられ、角度を付けた導入部は、前記包囲部の前縁と協働して前記包囲部と前記収容部とを位置合わせするのに役立つようにされた、請求項１に記載のコネクタ。
【請求項３】
前記包囲部は、基部領域と上方に延在する側壁とを更に含み、側壁の内面は、前記マイクロフォンを収容し包囲するように作られた包囲領域を画定するとともに、基部領域に前記マイクロフォンが挿入される受入部を更に画定し、前記包囲部の上方領域に開口部を更に画定し、該開口部は、送話器を含む前記マイクロフォンの第１平坦面の少なくとも一部分を保持するような寸法になっており、それにより、前記コネクタハウジングを介して前記送話器への音声の伝搬を可能にしつつ、前記マイクロフォンが前記包囲部内に保持された、請求項２に記載の電気コネクタ。
【請求項４】
保持タブは、包囲部の基部領域から外方上向きに延在するテーパー領域と、
側壁の外面からテーパー領域の最も外側の点まで延在する係合部とを含み、
該係合部は前記周囲壁の前記保持部の係合面と係合するようにされている、請求項３に記載のコネクタ。
【請求項５】
前記包囲部は弾性材料から形成される、請求項４に記載のコネクタ。
【請求項６】
前記ハウジングは、前記電気コネクタの一部として一体的に形成され、該電気コネクタは、電話機内で前記電気コネクタの取り付けを行うための取り付け手段を有する、請求項１に記載のコネクタ。
【請求項７】
前記収容部の前記周囲壁は、前記収容部の底部壁と直交するスロットを備え、前記包囲部は、半径方向に延在する位置決めリブを備え、前記保持タブが前記収容部の前記周囲壁の対応する前記保持部と半径方向に位置合わせされたとき、前記位置決めリブが直交スロット内に合致する、請求項１に記載のコネクタ。
【請求項８】
マイクロフォン等の電子デバイスを別の電子部品に接続するためのコネクタ組立体であって、
内部に配置されたキャビティを備え、該キャビティ内に挿入された前記電子デバイスと別の電子部品との間に接続を提供するためにキャビティ内で延在する複数の導電端子を含むハウジングと、
前記電子部品を収容するスリーブ部を含む弾性取り付けブーツであって、該取り付けブーツから外方に向かって延在する少なくとも一個の一体成形された保持タブを含み、前記ハウジングキャビティは、前記取り付けブーツが前記ハウジングキャビティ内に挿入されたときに前記取り付けブーツの保持タブを収容する一体成形されたスロットを含み、前記取り付けブーツは、該取り付けブーツを前記ハウジングキャビティ内に押し込むことを可能にする弾性材料で形成され、前記取り付けブーツ及び電子デバイスが前記ハウジングキャビティに収容されると、前記端子は前記電子デバイスに電気的に接触するとともに、前記取り付けブーツの保持タブが前記ハウジングキャビティのスロットに係合し、前記取り付けブーツの保持タブとハウジングキャビティのスロットとが協働して前記取り付けブーツを前記ハウジングキャビティ内に保持する弾性取り付けブーツと、
ブーツの外壁に設けられた横方向に延在する少なくとも一個の保持タブを受け入れて収容するようにされた、挿入キャビティ内の少なくとも一個の周囲スロットとを有し、
マイクロフォンを挿入した取り付けブーツを挿入キャビティ内に挿入すると、マイクロフォンがコネクタ端子及びプリント回路基板に電気的に接続され、横方向に延在するタブが周囲スロットに係合して挿入キャビティから取り付けブーツが外れることを防止するコネクタ組立体。
【請求項９】
ブーツは、少なくとも二個の横方向に延在する保持タブを備え、前記ハウジングキャビティは、二個の対応する周囲スロットを備えている、請求項８に記載の電気コネクタ。
【請求項１０】
前記ハウジングキャビティは、該キャビティの周囲壁に位置決めスロットを備え、ブーツは、外方に向かって延在する位置決めリブを備え、該リブは、各保持タブが各周囲スロットと位置合わせされたときに、前記位置決めスロット内に合致するように設計されている、請求項９に記載の電気コネクタ。
【発明の詳細な説明】
【０００１】
【発明の属する技術分野】
本発明は、一般に、マイクロフォンホルダに関し、特に、マイクロフォンハウジングと協働してマイクロフォンを電気コネクタ内に確実に保持するように適合させたマイクロフォンホルダに関する。
【０００２】
【従来の技術】
電話用ハンドピースを組み立てる場合、マイクロフォンを組立体に組み込むことが必要である。マイクロフォンは、使用者が話す場所に隣接した電話用ハンドピースの領域に、通常、取り付けられる。マイクロフォンは確実に保持され、且つ、大きな衝撃等に曝（さら）されないことが重要である。
【０００３】
通常、この保持は、マイクロフォンをハウジング内に配設し、該ハウジングを電話組立体内の電気コネクタに固定することによって達成される。
【０００４】
外部雑音の影響を低減しながら、必要とされる音声が電子回路に最適に伝達されるようにするために、ハウジング内に遮音素子を設けることが好ましい。
【０００５】
ＡＴ＆Ｔ　Ｂｅｌｌ　Ｌａｂｏｒａｔｏｒｉｅｓを譲受人とする米国特許第４，９８４，２６８号は、ハンドセット内のキャビティに挿入される組立体を形成するガスケット内に位置決めされたマイクロフォンを記載しており、円筒形スポンジがキャビティの基部に予め位置決めされている。
【０００６】
Ｍｏｔｏｒｏｌａを譲受人とする米国特許第５，４２０，０７１号は、電話ハンドセットのスピーカー音響ユニットからマイクロフォンを隔離するために設計された装置を記載している。マイクロフォンは遮音材内に挿入され、該遮音材は、該遮音材が保持カップから外れるのを防止するために、遮音材を取り囲む円周方向に延在する隆起部を有している。
【０００７】
また、カップ内での遮音材の回転を防止する延出タブも設けられている。
【０００８】
遮音材とマイクロフォンとの組み合せは、締まりばめによって保持カップ内に保持される。
【０００９】
Ｍｏｔｏｒｏｌａを譲受人とする第二の米国特許である米国特許第５，２０１，０６９号は、二つのガスケット間に挟まれたマイクロフォンを開示している。
【００１０】
このマイクロフォンとガスケットとのサンドイッチ構造体は、ハウジングの上方部と基部との間で一緒に保持され、この場合も、固定は締まりばめによって達成される。
【００１１】
ＵＮＥＸ　Ｃｏｒｐｏｒａｔｉｏｎを譲受人とする米国特許第５，４１０，６０８号及び第５，６１５，２７３号は、ブーツ内にマイクロフォンを設けること、及び、別個のカバーを使用してブーツ内にマイクロフォンを保持することを開示している。
【００１２】
本発明と譲受人が同一の米国特許第５，８２３，８２０号は、グロメットを備えたマイクロフォンを設けることを開示している。この場合も、マイクロフォンが保持部材内に締まりばめによって固定される。
【００１３】
【発明が解決しようとする課題】
前述の構造の一つの共通な特徴は、マイクロフォンを締まりばめによって保持していることである。この構造はあまり確実ではなく、ホルダやハウジングが無線電話機の組み立て前の部品であるとき、或いは、実際に使用されているときに、ホルダやハウジングに何等かの振動が生じた場合、マイクロフォンがホルダから外れる可能性がある。従って、マイクロフォンをそのホルダ内に保持するためのより確実な手段に対するニーズが存在する。
【００１４】
無線電話機や移動電話機に取り付けられる場合には、マイクロフォンをＩ／Ｏコネクタ内に取り付け、使用されるコネクタの数及び個々のコネクタが占有する空間を減少させるのが好ましい。通常、マイクロフォンをコネクタ内のハウジング内に配設し、組立体を覆うようにカバーを置き、これにより、マイクロフォンを所定の位置に保持する。カバーを使用した場合、コネクタの全厚が増大するが、これは、ハンドセット及びこれに使用される部品の全体的な寸法を最小にしようと試みる際の非常に重大な問題である。
【００１５】
従って、無線電話機ハンドセットのコネクタ内のマイクロフォンのための代替の取り付け構造、最小数の部品で移動電話機内にマイクロフォンを確実に保持する構造に対するニーズが存在する。
【００１６】
【課題を解決するための手段】
無線電話機内で電気デバイスを接続するための取り付け構造を提供する本発明は、このようなニーズに取り組むものである。該取り付け構造は、電気デバイス収容部を備えたハウジングと、前記電気デバイスを包囲するように適合された包囲部とを有する。該包囲部は、少なくとも二個の外方に向かって突出した保持タブを有し、該タブは、収容部内の対応する保持部と協働し、保持部と係合するように適合されている。包囲された電気デバイスを収容部内に挿入すると、保持タブは保持部に係合し、それにより、包囲部及び包囲された電気デバイスを収容部内に固定する。
【００１７】
電気デバイスは、好ましくは、マイクロフォンであり、遮音された包囲部、即ち、取り付けブーツ内に支持される。収容部は、好ましくは、基部及びこれと交差する方向に突出した壁部を有する。該壁部は、基部の周囲に延在し、それにより、収容部の周囲を画定する。望ましくは、壁部が基部の回りに完全には延在しないように、ガイド領域が壁部に設けられる。該ガイド部は、包囲部上に設けられた対応するガイドに係合するようになっている。
【００１８】
保持部は、好ましくは、収容部の壁部に形成される。保持部は、望ましくは、壁部と実質的に平行な側壁を備え、更に、収容部の基部と実質的に平行な上方係合面を備える。
【００１９】
収容部に、好ましくは、コネクタ端子が設けられ、該コネクタ端子は、電気デバイス上の対応する端子に電気的に係合できるようになっている。コネクタ端子は、望ましくは、収容部の基部の近傍に配設され、それにより、包囲された電気デバイスを収容部内に挿入すると、収容部内のコネクタ端子と電気デバイス上の端子とが電気的に係合する。
【００２０】
包囲部は、好ましくは、基部領域と上方に延在する側壁とを有する。側壁の内面は、挿入されたマイクロフォンを収容し包囲するように適合された包囲領域を画定する。内面は、更に、基部領域において入口ポートを画定し、マイクロフォンがこの入口ポートを通して包囲領域内に挿入される。また、側壁の内面は、包囲部の上方領域において出口開口部を画定する。該出口開口部は、挿入されたマイクロフォンの作動面を露出できる寸法になっている。
【００２１】
突出した保持タブは、好ましくは、包囲部の側壁の外面から突出している。タブは、包囲部の基部領域から外方上向きに延在するテーパー領域、及び、側壁の外面からテーパー領域の最も外側の点まで延在している係合部を有する。該係合部は、使用時において、保持部の係合面に係合するように適合されている。
【００２２】
包囲部は、好ましくは弾性材料、更に好ましくはゴムで形成される。
【００２３】
ハウジングは、望ましくは、電気コネクタ上に一体的に形成され、該電気コネクタは、電話機内でコネクタの取り付けを行うための取り付け手段を有する。
【００２４】
更に、本発明は、移動電話機内でマイクロフォンを接続するための取り付け構造を提供し、該取り付け構造は、マイクロフォン挿入キャビティを有するハウジングと、マイクロフォンを収容することができる取り付けブーツとを含む。ブーツは、キャビティ内の対応する保持部と協働し、保持部と係合するように適合された少なくとも二個の突出した保持タブを有する。ブーツと収容されたマイクロフォンとを挿入キャビティ内に挿入すると、保持タブは保持部に係合し、それにより、ブーツと収容されたマイクロフォンとをキャビティ内に固定する。
【００２５】
突出した保持タブは、好ましくは、ブーツの外壁から突出し、ブーツの基部から先端領域まで外方上向きに延在するテーパー領域と係合部とを有し、係合部は、ブーツの外壁から先端領域まで延在している。係合部は、使用時において、保持部の上面と係合するようになっている。
【００２６】
キャビティは、好ましくは、基部と側壁とを有し、キャビティの側壁に保持部が形成される。保持部は、側壁と上面とを有する。該上面は、使用時において、保持タブの係合部に係合するようになっている。
【００２７】
キャビティ側壁の内面は、キャビティの側面の回りに延在し、包囲部の外周と実質的に等しいキャビティ領域を画定する。
【００２８】
また、本発明は、電気コネクタ内にマイクロフォンを固定するための方法を提供する。本方法は、好ましくは、取り付けブーツ内にマイクロフォンを取り付けるステップと、包囲されたマイクロフォンを電気コネクタの収容部内に配設するステップとを有する。包囲されたマイクロフォンは、マイクロフォンの基部上の端子が収容部内に設けられたコネクタ端子と電気的に係合するように、収容部内に配設される。取り付けブーツの外壁から半径方向に延出するタブは、スナップ嵌（は）めによって収容部の側壁上に設けられた保持部と相互係合し、それにより、マイクロフォンを電気コネクタ内に固定する。
【００２９】
本発明の他の目的、特徴及び利点は、添付の図面に関連して行われる以下の詳細な記載から明らかになるであろう。
【００３０】
本発明、並びに、その目的と利点は、以下の図面を参照にすることによって最もよく理解できるであろう。図において、同一の参照符号は同一の要素を示している。
【００３１】
【発明の実施の形態】
図１〜図４は、本発明において、典型的にはマイクロフォンである電気デバイス２を無線電話機内で接続するための取り付け構造１を示す。取り付け構造１は、電気デバイス収容部４を有するハウジング３と、電気デバイス２を包囲するように作られた包囲部、即ち取り付けブーツ５とを有する。図示されるように、包囲部５は、二つの外方に向かって突出した保持タブ６を有しているが、より多くのタブを用いてもよい。
【００３２】
タブ６は、収容部４内に配設された対応する保持部７と協働し、該保持部７と係合するように作られている。傾斜した周縁４０は、包囲部５を収容部４内に位置決めするのに役立つ。
【００３３】
図３に示されるように、包囲された電気デバイスを収容部４内に完全に挿入すると、保持タブ６は保持部７に係合し、それにより、包囲部５及び包囲された電気デバイスを収容部４内に固定する。
【００３４】
収容部４は、好ましくは、基部８と直交する方向に突出する壁部９とを有し、壁部９は角度を付けた導入部４１を備えており、該導入部４１は包囲部５の傾斜した周縁４０と協働して、包囲部５を収容部４に位置合せするのに役立つ。壁部９は、基部８の回りに延在し、収容部４の周囲を画定する。
【００３５】
図に示されるように、壁部９にガイド領域１０を設け、壁部が基部８の回りに完全には延在しないようにしてもよい。ガイド部１０は、包囲部５上に設けられた対応する相補的な形状の半径方向に延在するガイド１１と係合するように作られていてもよい。これにより、包囲部５が収容部４内で回転することが防止され、また、保持タブ６が保持部７と位置合せされるように包囲部が位置決めするのが容易となる。
【００３６】
保持部７は、好ましくは、壁部９に形成され、この点に関して、保持部７は、壁部９と実質的に平行な側壁１２と、収容部４の基部８と実質的に平行な上方係合面１３とを含む。
【００３７】
収容部４には、好ましくは、導電性の複数のコネクタ端子１４が設けられ、該コネクタ端子１４は、電気デバイス２上の対応する端子１５と電気的に係合するように作られている。図１に示されるように、電気デバイス２は、該電気デバイス２上の内側円形端子１５ａと外側環状端子１５ｂとを含んでいる。複数のコネクタ端子１４は、収容部４の基部８内に配設され、包囲された電気デバイス２が収容部４内に挿入されると、収容部４のコネクタ端子１４と電気デバイス２上の端子１５とが互いに電気的に係合した状態に置かれるようになっている。コネクタ端子は、典型的には、金メッキ燐（りん）青銅材料で形成されるが、当業者であれば、任意の導電性材料を代りに用いてもよいことが理解されるであろう。
【００３８】
同様に、マイクロフォンの端子は、典型的には、プリント回路基板上の金メッキされたトラックで形成されるが、その他の適切な導電材料を使用してもよい。
【００３９】
収容部内のコネクタ端子１４は、また、図４に示されるように、プリント回路基板３７と電気的に接触している。プリント回路基板は、無線電話機３０のその他の電気部分と接続可能で、それにより、マイクロフォンと電話回路の残りの部分との間の電気的接触を提供する。
【００４０】
包囲部５は、好ましくは、傾斜した周縁４０を備えた基部領域１６と上方に延在する側壁１７とを含んでいる。側壁の内面１８が、挿入されたマイクロフォン２を受け入れ包囲するように作られた包囲領域１９を画定する。基部領域１６において、内面１８は入口ポート２０を更に画定し、マイクロフォン２をこの入口ポート２０を通して包囲領域１９内に挿入することができる。包囲部の上方領域２１において、側壁の内面は出口開口部２２を更に画定する。出口開口部２２は、挿入されたマイクロフォン２の集音面２３を露出する寸法になっている。電気デバイス２を包囲部５内に挿入すると、電気デバイスの上面３１が、内壁１８の内肩部３２に当接し、それにより、電気デバイス２が包囲部５の開口部２２を通り抜けてしまうことを防止する（図１及び図２。）。
【００４１】
突出した保持タブ６は、好ましくは、包囲部５の側壁１７の外面２４から突出している。タブ６は、包囲部５の基部領域１６から外方上向きに延在するテーパー領域２５と係合部２６とを有する。該係合部２６は、側壁１７の外面２４からテーパー領域２５の最も外側の点２７まで延在している。係合部２６は、使用時において、保持部７の係合面１３に係合するように作られている。
【００４２】
使用に当っては、マイクロフォン２を、包囲部、即ち、取り付けブーツ５内に挿入する。そして、収容部、即ち挿入キャビティ４に対してマイクロフォン２と取り付けブーツ５の組を正確に位置決めするためにガイド１１を使用して、マイクロフォン２と包囲部５とを収容部８内に挿入する。延在し突出するタブ６は、挿入キャビティ４の側壁９によって画定される収容領域を超えて突出しているが、テーパー領域２５が設けられており、かつ、包囲デバイス５が弾性材料から形成されているため、挿入キャビティ４への挿入時に包囲部の一時的な変形が可能となる。包囲部５がキャビティ４内に更に挿入されると、突出する保持タブ６は、保持部７と連絡する位置に達し、該保持部７内に伸びて保持部７と係合する。保持タブ６の保持部７との係合により、挿入され包囲されたマイクロフォンが挿入キャビティ内で固定され、マイクロフォンが偶発的に外れる可能性をなくすことができる。
【００４３】
当業者であれば、マイクロフォンを受け入れて収容するように包囲部が作られていることは理解されるであろう。本実施の形態では、挿入されたマイクロフォンを実質的に取り囲む、即ち、包囲するように作られた構造体として説明されているが、マイクロフォン全体がその構造体内に含まれることが必須ではないことは理解されるであろう。例えば、説明されない他例では、マイクロフォンの大部分を包囲するが、挿入されたデバイスの側壁を完全には包囲しないように作られた包囲部を提供することもできる。包囲部は、収容部とともに、挿入されたデバイスのためのハウジングを提供し、端子と電気的に接触した状態にマイクロフォンを保持する。同様の確実な保持を容易にするものであれば、代替設計であっても本発明に適用することができる。
【００４４】
包囲部は、好ましくは、弾性材料、典型的には、エラストマーゴムやゴム系化合物で形成されるのが好ましい。包囲部は、マイクロフォンの回りに吸音取り付けブーツを形成し、該ブーツは、端子１４と接触する箇所以外では、マイクロフォンがコネクタと直接接触しないようにマイクロフォンを収容する。このような方法で、マイクロフォン（又は、他の取り付けられた電子デバイス）の振動から遮断され、ブーツ５は雑音を防止する機能を有する。
【００４５】
図４に示されるように、ハウジング３は、望ましくは、電気コネクタ２８上に一体的に形成される。これは、典型的には、プラスチック成形によって達成される。電気コネクタ２８は、電話機３０内にコネクタ２８を取り付けるように形成された係合手段２９を有する。その取り付け手段２９は、典型的には、ねじ２９ｂ又はナットと協働してコネクタ２８を電話機内に固定して保持するためのねじ孔（あな）２９ａである。電気コネクタは、典型的には、Ｉ／Ｏ型コネクタであり、マイクロフォンのハウジングに加え、複数の追加機能部品を有する。これらの機能部品は、典型的には、無線電話機を再充電するための電源と協働するように作られた充電用電極部３５、振動モータ３４のためのホルダ３３、及び、プリント回路基板３８を介してコネクタを無線電話機３０の残りの部分と電気的に接続するための複数の電気端子３４を含む。自動車で再充電するための充電用電極部３５及び／又はステレオジャックコネクタ３６等の追加デバイスを設けてもよい。
【００４６】
保持タブ６と対応する保持部７との相互係合は、従来技術の締まりばめ構造に比べ、挿入されたマイクロフォンをより確実に保持できる構造を提供することが理解されるであろう。確実な固定構造が設けられているので、挿入されたデバイスをそのハウジングから外すことがより困難になる。これにより、製造業者は、ある工程でマイクロフォンをＩ／Ｏコネクタに組み込み、別の工程でそれらを電話機に組み込むに際して、その都度確認することなく組み立てを行うことができる。これは、振動の結果マイクロフォンがハウジングから偶発的に外れやすい従来技術の構造では実現不可能であったことである。更に、吸音ブーツ内に収容されたマイクロフォンをそのハウジング内に圧入することによって達成される本発明のより確実な取り付け構造は、振動等による雑音の伝搬を低減し、マイクロフォンを通じての音声伝送の質を改善する。
【００４７】
以上詳細に記載したが、その多くの変形例及び均等物は、当業者には明白であり、本発明に包含されるべきものであり、本発明の精神及び範囲は特許請求の範囲によって画定される。
【図面の簡単な説明】
【図１】
本発明に係るマイクロフォン、マイクロフォン包囲部及びハウジングの収容部を示す分解図である。
【図２】
包囲部内に置かれた図１のマイクロフォンの斜視図である。
【図３】
部品を組立てた状態を示す図１のＩＩＩ−ＩＩＩ線に沿って示される断面図である。
【図４】
無線電話機内の組み立てられた取り付け組立体を示す斜視図である。
【国際公開パンフレット】
2004511934.tif 000003
2004511934.tif 000004
2004511934.tif 000005
2004511934.tif 000006
2004511934.tif 000007
2004511934.tif 000008
2004511934.tif 000009
2004511934.tif 000010
2004511934.tif 000011
2004511934.tif 000012
2004511934.tif 000013
2004511934.tif 000014
2004511934.tif 000015
2004511934.tif 000016
2004511934.tif 000017
2004511934.tif 000018
2004511934.tif 000019
【国際公開パンフレット（コレクトバージョン）】
2004511934.tif 000020
2004511934.tif 000021
【国際調査報告】
2004511934.tif 000022
2004511934.tif 000023
2004511934.tif 000024